(57)【要約】  本発明は座面と背もたれを備えるベビーカー、特にストローラ、バギー及び類似の子供用車両であるベビーカーで関し、ベルト締結具及び調節具が共に座面の前端部領域に配設されている。【選択図】図１
2010521368.tif 000002
【特許請求の範囲】
【請求項１】
座面（５）と背もたれ（１０）を備えるベビーカー、特にストローラ、バギー及び類似の子供用車両であるベビーカーであって、
ベルト締結具（２０）及びベルト調節具（２５）が共に座面（５）の前端部領域（１５）に配設されていることを特徴とするベビーカー。
【請求項２】
前記ベルト締結具（２０）は、ベルトシステム（３０）の一部であり、該ベルトシステム（３０）は２本の肩ベルト（３５）を含み、該肩ベルト（３５）はそれぞれ、閉合部材（４０）、特にスナップイン係合部材（４５）を用いて前記ベルト締結具（２０）と結合可能であることを特徴とする請求項１に記載のベビーカー。
【請求項３】
前記ベルト調節具（２５）は前記ベルトシステム（３０）の一部であり、座位に適合した前記ベビーカーの枠体（５５）の前記座面（５）又は前記背もたれ（１０）から離れた裏面部（５０）において、２本の前記肩ベルト（３５）は１つの延長部（６０）を備え、延長部（６０）は前記ベルト調節具（２５）を貫通することを特徴とする請求項２に記載のベビーカー。
【請求項４】
前記座面（５）及び前記背もたれ（１０）、若しくはそれらの何れかは柔軟な素材、特に布地を含むことを特徴とする請求項１乃至３の何れか１項に記載のベビーカー。
【請求項５】
前記ベルト締結具（２０）と前記ベルト調節具（２５）は、前記座面（５）の前記前端部領域（１５）の中央領域（６５）に配設されていることを特徴とする請求項１乃至４の何れか１項に記載のベビーカー。
【請求項６】
前記延長部（６０）は、前記座面（５）及び前記背もたれ（１０）又はそのどちらかから離れた前記枠体（５５）の裏面部（５０）に配設された案内路内又は案内路上、若しくはその両方を、少なくとも部分的に通ることを特徴とする請求項３乃至５の何れか１項に記載のベビーカー。
【請求項７】
前記ベルト締結具（２０）は前記座面（５）上部に配置され、前記座面（５）上で傾動可能に固定されること、また前記ベルト締結具（２０）は、任意で設けられるバネ（７０）の作用の結果、不使用時には前記座面（５）の表面上に位置することを特徴とする請求項１乃至６の何れか一項に記載のベビーカー。
【請求項８】
前記ベルト調節具（２５）において、締付具（７５）、特にカム型器具（８０）を使用することにより、前記延長部（６０）は一方から牽引可能で、且つ解除可能にロックすることができることを特徴とする請求項３乃至７の何れか１項に記載のベビーカー。
【請求項９】
前記ベルト調節具は、実質的に前記座面（５）と同一平面上か、その下方もしくはその両方に設置され、更に、前記締付具（７５）を解除する解除具（８５）が前記座面（５）の上方から操作可能であることを特徴とする請求項８に記載のベビーカー。
【請求項１０】
前記ベルト締結具（２０）は、前記ベルト調節具（２５）と単一のユニット（９０）を形成し、前記ベルト締結具（２０）と前記ベルト調節具（２５）は傾動可能であり、任意に、相互に対して、又は、前記座面（５）に対して、若しくはその両方に対して、一つ又は複数の軸に対して傾動可能であることを特徴とする請求項１乃至９の何れか１項に記載のベビーカー。
【請求項１１】
前記ユニット（９０）即ち、前記ベルト締結具（２０）及び前記ベルト調節具（２５）若しくはその何れかは、少なくとも部分的にケーシング（９５）、特に鞘状体（１００）内に設けられていることを特徴とする請求項１０に記載のベビーカー。
【請求項１２】
前記ユニット（９０）即ち、前記ベルト締結具（２０）及び前記ベルト調節具（２５）若しくはその何れかは、固定具（１０５）、特に基板（１１０）によって、前記座面（５）上、特に前記座面（５）の略下方に、前記座面（５）を貫通する保持片（１１５）を用いて固定されていることを特徴とする請求項１０又は１１の何れか１項に記載のベビーカー。
【請求項１３】
前記座面（５）及び前記背もたれ（１０）又はその何れかは、特に少なくとも１つの、好ましくは平坦な、少なくとも部分的にプラスチック材からなる支持部材（１２０）によって、少なくとも部分的に支持されていることを特徴とする請求項１乃至１２の何れか１項に記載のベビーカー。
【請求項１４】
前記支持部材（１２０）の一部は、前記固定具（１０５）を形成するか、前記固定具（１０５）と協働する、若しくはその両方であることを特徴とする請求項１２又は１３の何れか１項に記載のベビーカー。
【請求項１５】
前記ケーシング（９５）は軟質で曲げやすい素材、若しくはその何れかの素材、特にゴムからなることを特徴とする請求項１１乃至１４の何れか１項に記載のベビーカー。
【発明の詳細な説明】
【技術分野】
【０００１】
本発明は、ベビーカー、特にストローラ、バギー及び類似の子供用車両であるベビーカーであって、請求項１の前提部に記載のベビーカーに関する。
【背景技術】
【０００２】
ベビーカー、特にストローラやバギー等、子供用車両は以前から知られており、乳幼児を運ぶのに実用的に使用されている。ベビーカー内の乳児は、殆ど常時、比較的動かず、横に揺れることがある程度である。それに対し、ストローラやバギー等のベビーカーに乗っている幼児はかなり活動的である。そのため、子供は動いているうちにベビーカーから転落して怪我をする恐れがある。従って、ベルトシステム等の保護システムを用いて、ストローラやバギー等に座る乳児や特に幼児の転落を防止する必要がある。従来は、この目的には腰ベルトを使用するのが一般的であった。腰ベルトは、子供の骨盤領域付近に配置され、腰ベルトの両端部はベビーカーの枠体部に各々固定される。このような腰ベルトの代わりに、胸部ハーネスも用いられている。胸部ハーネスでは、例えば紐を使ってベビーカーに、好ましくはベビーカーの枠体に固定されていた。
【０００３】
しかしながら、上述の２つの安全システムには重大な欠点がある。腰ベルトでは、特にストローラやバギーの場合、転落に対する保護が充分ではない。子供が身を乗り出すと、ベルトから外れて転落してしまうことがあるからである。それに対して胸部ハーネスでは、保護性能は比較的改善されたものの、ループや紐が多くなって取扱いが複雑になった結果、全く使用されなくなったり、着用方法やベビーカーへの装着方法を間違えたまま使用することがあった。
【０００４】
上述の２つの安全システムには更に次のような問題がある。このような安全システムは、全てのベビーカー、ストローラ、バギーに取付可能というわけではない。例えば、上述のベビーカーの幾つかの種類では、転落を防ぐための固有の環状引掛構造を始めから備えているが、ほとんどの場合保護性能は不充分であり、その上、この種のベビーカーでは、子供がベビーカーから落下するのを確実に防ぐ安全保護装置を別途取付けることができない。
【発明の概要】
【発明が解決しようとする課題】
【０００５】
本発明の課題は、子供、特に幼児の落下防止機能を改善し、上述の欠点を回避し、更に製造が容易で安価な、特にストローラ、バギー及び類似の子供用車両であるベビーカーを提供することにある。
【課題を解決するための手段】
【０００６】
この課題は、請求項１に記載のベビーカーによって解決される。
【０００７】
この課題は、特に、座面と背もたれを備えるベビーカー、特にストローラ、バギー及び類似の子供用車両であって、ベルト締結具及びベルト調節具が共に座面の前端部領域に配設されていることを特徴とするベビーカーによって解決される。
【０００８】
ここで言うベルト締結具は、ベルトシステムの一部として設けられ、ベルトシステムは２本の肩ベルトを含み、肩ベルトは閉合部材を用いてそれぞれベルト締結具と結合可能である。閉合部材をベルト締結具に連結するのには、スナップイン係合を用いることが好ましい。肩ベルトは、いわゆるズボン用サスペンダーの態様であることが好ましく、座面に座る子供の股付近から上方に延び、好適には左右対称に肩部に掛かり、他方では、好適にはやはり左右対称に大腿部に掛かり、ベビーカーの横枠部分に結合している。このため、２本のベルトはそれぞれ、腰領域の閉合部材に配置されたベルト誘導通部を通って後方へ折れる。更に肩部において２本のベルトはベビーカーの枠体の柱部又は梁部の案内路を通って、下方向へ折れる。ベビーカーの枠体自身に設けられたベルト誘導通部に代えて、枠体に固定された案内路を用いることもできる。更に、閉合部材は、閉合部材が備わるベルト上で動くように、即ちスライド可能に設けられる。
【０００９】
本発明のベルトシステムの一部としてベルト調節具が設けられる。２本の肩ベルトは、座位に適合するベビーカーの枠体の、座面又は背もたれから離れた裏面部において、1つの延長部を備え、延長部はベルト調節具を貫通する。この場合、２本の肩ベルトは、好ましくは座面及び背もたれから離れた裏面部において、上述の延長部を備えたベルト１本にまとめられる。或いは、２本のベルトが各々別々に同様の延長部を備え、それらの延長部が各々ベルト調節具を貫通することも可能である。しかしながら、２つの肩ベルトを１本の延長部にまとめる最初の構成が望ましい。というのは、この構成であれば、ベルト調節具によって肩ベルトが常に均等に緊締されるからである。
【００１０】
ベルト締結具及びベルト調節具は、好ましくは、座面の前端部領域の中央領域に配設される。こうすることによって、座った子供をストローラやバギー内にできる限り左右対称に固定保持することができる。この場合は、個別のベビーカーの座面や背もたれは、柔軟な素材、特に布地が好ましく、又は少なくともそのような素材を含むことが好ましい。それにより、ストローラやバギーは簡易に折り畳むことが可能になり、柔軟な座面や背もたれは、ベビーカーの枠体の対応する部分の間で伸張する。
【００１１】
上述した肩ベルトの延長部は、ベビーカーの後方領域において、座面や背もたれから離れた枠体の裏面部に配設された案内路内及び／又は案内路上を少なくとも部分的に通る。このような案内路を設けることによって、ベルトを締付けたときに、座面と背もたれを変形させることなく、延長部がベビーカーの座面と背もたれに沿って通り、確実に延長ベルトを張った状態にすることができる。加えて、案内路を用いると、延長ベルトが絡まったり、弛んだりするのを防止することができる。
【００１２】
実施例によれば、ベルト締結具は座面上部に配置され、座面上で傾動可能に固定されており、不使用時には座面の略先端に位置するが、これは任意でバネの作用による。これによって、確実にベルト締結具を操作しやすくなるので、簡単に専用の閉合部材をベルト締結具に挿入して、ラッチ係合することが可能となる。又は、閉合部材をベルト締結具に挿入する前に、２つの閉合部材を互いに一体的に結合することによって、単一部品として容易にベルト締結具に導入することも可能であり、その場合はスナップイン係合が好適である。
【００１３】
更なる実施例では、ベルト締結具は座面に埋め込まれているので、座面上方からは、閉合部材に設けられた閉合とスナップイン係合用の突起部に対応する導入スロットだけが見える。このような突起部は、従来のスナップイン係合で必要なものである。
【００１４】
肩ベルトの延長部は、ベルト調節具内において、締付具、特にカム型器具を用いて、一方から牽引可能で、更に解除可能にロックされている。従って、延長部をベルト調節具を介して一方向に引くことが可能となって肩ベルトが緊締され、ベビーカーの座面に子供を堅固に確実に保持することができる。このとき、締付具によって肩ベルトが緊締されるが、締付具が解除された場合にはベルト延長部が引き戻される。又、本発明に基づき例えば簡易なレバーや押圧機構の態様の解除具が設けられる。締付具は、ベルトのスリップ戻りを確実に防止するように構成されている。言い換えると、ベルト調節具を通っているベルト延長部を引張って肩ベルトを緊締することが可能であるかぎり、締付具における肩ベルトの方向への負荷が可能となっている。
【００１５】
本発明の実施例によれば、ベルト調節具は、座面と同一平面上及び／又は座面の略下方に設置され、更に、締付具を解除する解除具は座面上方から操作可能である。本実施例においては、肩ベルトの延長部は、座面の下方でベルト調節具に挿入され、ベルト調節具を通って、特に、ベルト調節具に内設された締付具を通って、座面前領域又はベルト調節具に設置されたベルト誘導通部から表に現れる。ベルト調節具から延出する、このベルト延長部を引っ張ることが可能で、これによって肩ベルト及び子供の大腿部に掛かるベルト部が緊締され、子供を保護する。
【００１６】
更なる実施例では、ベルト締結具はベルト調節具と単一のユニットとして構成され、ベルト締結具とベルト調節具は傾動可能であり、任意で、相互に傾動可能で、及び／又は、座面に対して、一つ又は複数の軸に対して傾動可能である。この場合、ベルト締結具をベルト調節具に固定するのには、リベットやボルトによって結合するが、ベルトを用いてもよい。同様に、ベルト調節具を座面に固定するのには、リベットやボルトによって結合するのが好ましいが、ベルトによっても可能である。
【００１７】
ベルト締結具が、ベルト調節具及び／又は座面に対して傾動可能であることにより、このユニットが座面に座る子供に対して最適に適合することができる。すなわち、ベルト締結具とベルト調節具とからなるユニットは、このユニットにおいて座った子供によって形成される子供の両脚の間のスペースに最適に適合することができる。この傾動は、好ましくはベビーカーの長手方向軸に沿って可能であることを強調しておくべきであろう。しかし、ベルトが座面の範囲で使用される場合は、ベルト調節具及びベルト締結具は長手方向を横切る方向に傾動することも可能である。又、ここでは玉継ぎ手を用いることが可能であることは言うまでもない。
【００１８】
本発明によれば、このユニット又はベルト締結具とベルト調節具は、少なくとも部分的にケーシング、特に鞘状体内に設けられている。この鞘状体又はケーシングは、ゴム等の軟質で曲げやすい素材で形成されるので、肌触りがよいと同時に、怪我を防ぐことができる。
【００１９】
前述のユニット、即ちベルト締結具及び／又はベルト調節具は、固定具を用いて固定されており、特に基板、座面上、特には座面の略下方に、座面を貫通する保持部材を用いて固定される。これらの保持部材、即ち基板から座面に突き出る保持部材に、ベルト締結具及びベルト調節具のユニットか、又は、前述したベルト締結具及び／又はベルト調節具が、例えばリベット又はボルトを用いるか、若しくは別にベルトで補助して固定される。
【００２０】
更に、座面及び／又は背もたれは、少なくとも部分的に、特に少なくとも１つの、好ましくは平坦な支持部材によって支持される。この支持部材は、好適にはプラスチック材からなり、それにより荷重がかかったときでも座面及び背もたれの最適なフィッティング形状を保持し、荷重による変形、例えば座面及び背もたれの伸張によって引き起こされる変形が避けられる。更に、この支持部材は、前述した肩ベルトの延長部の案内路としても使用することができる。そのためには、個別の誘導部材が支持部材に設けられる。
【００２１】
更に、支持部材の少なくとも一部は、ベルト締結具及び／又はベルト調節具、又はそれらのユニットを接合する固定具を形成する。更なる変更例によれば、支持部材は固定具と協働することもでき、それにより例えば安定性が高まる。
【００２２】
本発明の更なる実施例は従属項に記載される。
【００２３】
以下、実施例を参照して本発明を説明する。実施例について、以下の図面を参照して更に詳しく説明する。
【図面の簡単な説明】
【００２４】
【図１】図１は、本発明の第一実施例であり、基本的な枠体の部品、座面、背もたれ、装備されたベルトシステムを図示した概略図である。
【図２】図２は、図１のベルトシステムの詳細図である。
【図３】図３は、本発明に基づくベルト締結具とベルト調節具の機能部品の分解図である。
【図４】図４は、本発明の基本的な構成部品を用いた更なる実施例の概略図である。
【図５】図５は、図４のベルトシステムの部分拡大図である。
【図６】図６は、図４及び図５のベルト調節具の詳細を示す概略図である。
【００２５】
以下の説明において、同一の機能を有する同一の構成部品には同一の符号を付することとする。
【発明を実施するための形態】
【００２６】
図１は本発明に基づくストローラ又はバギーの枠体５５を示し、枠体５５は、座面５と背もたれ１０とを備え、背もたれの裏面には支持部材１２０が設けられ、背もたれ１０を平面で支持している。支持部材１２０はプラスチック材又は強度のある布地で形成可能であり、また背もたれ１０の領域と共に、更に、ベビーカーの枠体５５の上部領域に固定される。
【００２７】
更に図１はベルトシステム３０を示しており、２本の肩ベルト３５と、肩ベルト３５にスライド可能に設けられた２つの閉合部材４０と、肩ベルト３５から延引している延長部６０と、ベルト締結具２０及びベルト調節具２５とによって構成される。肩ベルト３５は閉合部材４０によって大腿ベルト部３６と肩ベルト部３５とに分けられ、大腿ベルト部３６の端部はベビーカーの座面５の後部において、枠体５５に固定される。この固定点から、ベルトは閉合部材４０のベルト誘導通部６１を通って子供の肩に対応するベルト部まで延びており、本発明のこの説明においては、この部分を肩ベルト３５とする。この肩ベルト３５は、更に延びて、ベビーカーの枠体５５のベルト誘導通部６１を通って、裏面部５０（即ち、座面５及び背もたれ１０から離れた領域）まで延び、ここで、２本の肩ベルト３５は、肩ベルト３５の共通の延長部６０に１本化される。この延長部６０は肩ベルト３５と堅固に結合し、結合部位から座面５の下方に向かって延び、ここでは、この延長部６０は、図３からわかるように、固定具１０５として機能する基板１１０に設けられたベルト誘導通部６１を通る。更に、延長部６０は締付具７５を通り、ケーシング９５又は鞘状体１００内に設けられたベルト誘導通部６１を通る。後者については、図１及び図２に明示されている。
【００２８】
鞘状体１００に設けられたベルト誘導通部６１から延出した延長部６０を図２の矢印の方向に引くと、ベルトシステムは、締付具によって大腿ベルト部３６領域及び肩ベルト３５領域で緊締される。図３に明示されているように、この締付具は延長部６０のスリップ戻りを防ぐ。締付具７５のバネと締付具の寸法により締め付け機能が達成される。すなわち、締付具は、ベルト延長部６０を締付具７５の締付端部７６に把持してロック可能な寸法となっている。
【００２９】
更に、図１で明示されているように、ベルト締結具２０とベルト調節具２５は、座面５の前端部領域１５に配置され、特に、座面５の中央前領域６５に配置される。
【００３０】
更に、図１及び図２で明らかなように、ベルト締結具２０とベルト調節具２５は単一のユニット９０として構成され、ユニット９０はケーシング９５即ち鞘状体１００に被覆されている。ケーシング９５即ち鞘状体１００は、ベルト締結具２０のスナップイン係合部材４５を開放する開放器具４６と、ベルト調節具２５の解除具８５を作動させる解除具作動器具８６とを備える。スナップイン係合部材４５の開放器具４６と、解除具８５の作動器具８６は図２及び図３に明示されているように、ノブ状の作動ボタン又はピンの形状であり、この作動ボタンで、その下にあるスナップイン係合及びロック機構を押圧することによって、これらの機構を解除することができる。
【００３１】
これに関して、図１及び図２には、本発明に基づくベルト締結具２０がそれに対応する閉合部材４０とともに閉位置の状態で示されている。一方、図３には、スナップイン係合部材４５の態様のベルト締結具２０が、対応する閉合部材４０とともに開位置の状態で示されている。ベルト締結具２０及びベルト調節具２５のユニット９０は、固定具１０５としての機能を有する基板１１０上に設置されており、図１において、基板１１０は座面５の下方に位置し、そこで固定されている。基板１１０上にある保持片１１５は、これにより座面５を貫通し、ベルト調節具２５の固定点として機能する。即ち、この基板は、ベルト調節具に適切に対応する保持片を備える。また、ベルト調節具２５を、基板１１０の保持片１１５に固定するに際し、リベット、ボルト、ネジによる接続で固定してもよい。同様に、ベルト調節具２５とベルト締結具２０を結合するのにも、リベット、ネジ、ボルト等を用いることができる。図１に明示されるように、基板１１０はベルト誘導通部６１を備え、前述の通り、延長部６０は、ベルト誘導通部６１を通り、ベルト調節具２５内に設けられた締付具７５へ向かって伸びている。
【００３２】
既述したように、ベルト締結具２０とベルト調節具２５は単一のユニット９０として構成され、ユニット９０は鞘状体１００に被覆され、鞘状体１００は開放器具４６と解除具作動器具８６に加えベルト誘導通部６１を備え、組み立てられた状態では、ベルト誘導通部６１は締付具７５の締付端部７６と略同一の高さであるので、ベルト延長部６０は、余分な抵抗なく鞘状体１００を貫通可能である。
【００３３】
使用中、即ち、閉合部材４０がベルト締結具２０内にラッチ係合されている場合は、ベルト締結具２０とベルト調節具２５のユニット９０は、座面５から離れて上方に延出する。しかし、不使用時、即ち、ベルト締結具２０と閉合部材４０が互いに嵌合していない場合は、ユニット９０は座面５の表面上辺りに位置する。これは、重力の作用によるか、或いは座面５の方向にユニット９０を付勢するバネ７０の働きによってもたらされる。
【００３４】
図４は本発明の更なる実施例を示し、ベルト締結具２０とベルト調節具２５が、単一ユニット９０として構成されず、別個の部品として構成されている実施例を示す。この場合、ベルトの経路は図１及び図２と略同一である。しかし、図４及び図５では、ベルト締結具２０は直接ベルト調節具２５に結合しておらず、ベビーカーの座面５に固定されている。
【００３５】
ベルト調節具２５は、座面５の略下方に位置するか、又は座面５を貫通している。図６に示すように、締付具７５を備えたベルト調節具２５の機能部品は座面５の平面の下方に配置される。ベルト調節具２５から延出している延長部６０と、締付具７５を解除する作動器具８６及び解除具８５は、座面５の上方から操作可能である。このとき、特に簡易な方法では、ベルト延長部６０は下方からベルト調節具２５の締付具７５内へ延びている。ベルト調節具はカム型器具８０で形成され、ベルトを図６の矢印の方向にのみ引くことができるように把持しており、その逆方向、即ち肩ベルトの方向へは堅固にロックされている。解除具８５即ちその作動器具８６を押すと、板バネ又はつる巻きバネ等のバネの作用に対抗してベルト調節具の把持作動が一時的に抑制される。
【００３６】
更に、図４に明示するように、後方領域と、背もたれ１０と座面５から離れた裏面部５０とは、平坦な支持部材で支持されている。その支持部材は座面５の前端部領域１５において固定具１０５と協働しており、それによりベルト締結具２０及びベルト調節具２５が座面５に結合して固定される。
【００３７】
又、図５には、ベルト締結具２０を被覆するケーシング９５が示されており、ケーシング９５は、ベルト締結具２０のスナップイン係合部材４５の開放器具４６を作動させるための２つの開口を備える。座面５にベルト締結具２０を固定するのにはベルトが用いられ、ベルト締結具２０は座面５上で傾動可能となり、特に不使用時の位置では、座面５上に載置可能である。
【００３８】
上述した全ての記載事項は、特に図面に示した詳細について、単独であれ組み合わせであれ、本発明にとって重要であるとして請求されていることを、指摘しておく。また、当業者であれば、その変更は当然に発明に含まれると考えるであろう。
【符号の説明】
【００３９】
５    座面
１０  背もたれ
１５  座面の前端部領域
２０  ベルト締結具
２５  ベルト調節具
３０  ベルトシステム
３５  肩ベルト
３６  大腿ベルト部
４０  閉合部材
４５  スナップイン係合部材
４６  スナップイン係合開放器具
４７  スナップイン係合部材
５０  裏面部
５５  枠体
６０  延長部
６１  ベルト誘導通部
６５  中央領域
７０  バネ
７５  締付具
７６  締付端部
８０  カム型器具
８５  解除具
８６  解除具作動器具
９０  ユニット
９５  ケーシング
１００  鞘状体
１０５  固定具
１１０  基板
１１５  保持片
１２０  支持部材
【図１】
2010521368.tif 000003
【図２】
2010521368.tif 000004
【図３】
2010521368.tif 000005
【図４】
2010521368.tif 000006
【図５】
2010521368.tif 000007
【図６】
2010521368.tif 000008
【国際調査報告】
2010521368.tif 000009
2010521368.tif 000010
2010521368.tif 000011
2010521368.tif 000012